(57)【要約】【課題】ネットワーク障害が発生した場合でも、他の通信回線を経由して監視センタに異常検知情報の警報を送信し、監視領域の異常に対して迅速に対応する。【解決手段】インターネット１４０のみに接続された第１の警備装置１１０は、センサが異常を検知して、監視センタ１３０に異常検知情報の警報を送信し、所定時間内に監視センタ１３０から警報の受信をした旨の確認信号を受信できなかった場合には、インターネット１４０及びインターネット１４０以外の公衆回線１５０とで接続されている第２の警備装置１２０へ再度警報を送信する。そして、第２の警備装置１２０は受信した警報を監視センタ１３０に転送し、警報を受信した監視センタ１３０は、確認信号を第２の警備装置１２０に送信し、第２の警備装置１２０は、受信した確認信号を第１の警備装置１１０に転送する。【選択図】        図１
2006285645.tif 000002
【特許請求の範囲】
【請求項１】
監視領域における異常を検知するセンサを備えた第１の警備装置と、前記センサを備えた第２の警備装置と、前記第１の警備装置と第１のネットワークで接続され、前記第２の警備装置と第１のネットワーク及び第１のネットワーク以外の第２のネットワークで接続され、前記第１の警備装置と前記第２の警備装置からの警報を受信して所定の監視処理を実行する監視センタとを備える警備システムにおいて、
前記第１の警備装置は、
前記第２の警備装置に固有の警備装置識別情報と前記第２の警備装置のネットワーク上の識別情報であるネットワーク識別情報とを対応付けて登録した警備装置情報を記憶する警備装置情報記憶手段と、
前記センサが異常を検知した場合に、その旨の警報を、前記監視センタに送信する異常通報手段と、
前記監視センタから前記警報を受信した旨の確認信号を受信する通信処理手段と、を備え、
前記異常通報手段は、更に、前記通信処理手段によって前記確認信号が受信されない場合に、前記警備装置情報から前記第２の警備装置の前記ネットワーク識別情報を選択し、選択された前記ネットワーク識別情報を送信先として前記第２の警備装置に前記警報を送信し、
前記第２の警備装置は、
前記第１の警備装置から前記警報を受信する受信手段と、
前記受信手段によって受信した前記警報を前記監視センタへ転送する転送手段と、
を備えることを特徴とする警備システム。
【請求項２】
前記監視センタは、
前記第１の警備装置又は前記第２の警備装置から前記警報を受信し、前記警報を送信した前記第１の警備装置又は前記第２の警備装置に前記確認信号を送信する通信処理手段と、
を備えることを特徴とする請求項１に記載の警備システム。
【請求項３】
前記監視センタは、
前記警備装置情報を、各警備装置ごとに記憶する警備装置情報記憶手段と、
前記警備装置情報に登録されている前記警備装置識別情報又は前記ネットワーク識別情報を変更する警備装置情報管理手段とを備え、
前記通信処理手段は、更に、前記警備装置情報管理手段によって変更された前記警備装置識別情報又は前記ネットワーク識別情報を含む前記警備装置情報を前記第１の警備装置に送信すること、
を特徴とする請求項２に記載の警備システム。
【請求項４】
監視領域における異常を検知するセンサを備え、前記センサが異常を検知した旨の警報を受信して所定の監視処理を実行する監視センタと第１のネットワークで接続された警備装置において、
前記監視センタと第１のネットワーク以外の第２のネットワークで接続され、自装置以外の他の警備装置に固有の警備装置識別情報と前記他の警備装置のネットワーク上の識別情報であるネットワーク識別情報とを対応付けて登録した警備装置情報を記憶する警備装置情報記憶手段と、
前記センサが異常を検知した場合に、前記監視センタに前記警報を送信する異常通報手段と、
前記監視センタから前記警報を受信した旨の確認信号を受信する通信処理手段とを備え、
前記異常通報手段は、更に、前記通信処理手段によって前記確認信号が受信されない場合に、前記警備装置情報から前記他の警備装置の前記ネットワーク識別情報を選択し、選択された前記ネットワーク識別情報を送信先として前記他の警備装置に警報を送信すること、
を特徴とする警備装置。
【請求項５】
前記通信処理手段は、更に、前記警報を受信した前記他の警備装置から前記確認信号を受信すること、
を特徴とする請求項４に記載の警備装置。
【請求項６】
前記警備装置情報は、複数の前記他の警備装置の前記ネットワーク識別情報を登録し、
前記異常通報手段は、更に、前記監視センタに前記警報を送信した場合、所定時間内に前記監視センタからの前記確認信号を受信しなかった場合に、前記警備装置情報に登録された複数の前記他の警備装置の前記ネットワーク識別情報から前記他の警備装置の前記ネットワーク識別情報を選択し、選択された前記ネットワーク識別情報を送信先として前記他の警備装置に前記警報を送信すること、
を特徴とする請求項４又は５に記載の警備装置。
【請求項７】
監視領域における異常を検知するセンサを備え、前記センサが異常を検知した旨の警報を受信して所定の監視処理を実行する監視センタと第１のネットワーク及び第１のネットワーク以外の第２のネットワークで接続された警備装置において、
自装置以外の他の警備装置から前記警報を受信する受信手段と、
前記受信手段によって受信した前記警報を前記監視センタへ転送する転送手段と、
を備えることを特徴とする警備装置。
【請求項８】
前記受信手段は、更に、前記監視センタから前記転送手段によって転送した前記警報を受信した旨の確認信号を受信し、
前記転送手段は、更に、前記受信手段によって受信した前記確認信号を前記第１の警備装置に転送すること、
を特徴とする請求項７に記載の監視装置。
【請求項９】
監視領域における異常を検知するセンサを備えた第１の警備装置と、前記センサを備えた第２の警備装置と、前記第１の警備装置と第１のネットワークで接続され、前記第２の警備装置と第１のネットワーク及び第１のネットワーク以外の第２のネットワークで接続され、前記第１の警備装置と前記第２の警備装置からの警報を受信して所定の監視処理を実行する監視センタとの間で実行される警備方法において、
前記第１の警備装置において、前記センサが異常を検知した場合に、その旨の警報を、前記監視センタに送信する異常通報ステップと、
前記第１の警備装置において、前記監視センタから前記警報を受信した旨の確認信号を受信する通信処理ステップと、を含み、
前記異常通報ステップは、更に、前記通信処理ステップによって前記確認信号が受信されない場合に、前記第２の警備装置に固有の警備装置識別情報と前記第２の警備装置のネットワーク上の識別情報であるネットワーク識別情報とを対応付けて登録した警備装置情報から前記第２の警備装置の前記ネットワーク識別情報を選択し、選択された前記ネットワーク識別情報を送信先として前記第２の警備装置に前記警報を送信し、
前記第２の警備装置において、前記第１の警備装置から前記警報を受信する受信ステップと、
前記第２の警備装置において、前記受信ステップによって受信した前記警報を前記監視センタへ転送する転送ステップと、
を含むことを特徴とする警備方法。
【発明の詳細な説明】
【技術分野】
【０００１】
本発明は、監視領域における異常を検知するセンサが異常を検知した場合に、異常検知情報の警報をネットワークに接続された監視センタに送信する警備装置に関するものであり、特に、監視センタ側のネットワークに異常が発生した場合に、他の通信回線を介して監視センタへ警報を送信する警備システム、警備装置及び警備方法に関する。
【背景技術】
【０００２】
従来、監視領域に設置され各種防犯・防災センサの異常を検知すると、アナログ回線、ＩＳＤＮ、ＡＤＳＬ、インターネット等の通信回線を介して遠隔の監視センタに警報を送信する警報装置から構成される警備システムが知られている。
【０００３】
また、電話回線の切断が生じたときに、予め記録しておいた特定の通報内容を再生して無線により近隣に発信することで、電話回線の切断について近隣の切断されていない電話回線を通じて自動的に通報する技術が公開されている（例えば、特許文献１参照）。
【０００４】
【特許文献１】特開平７−１４０８８号公報
【発明の開示】
【発明が解決しようとする課題】
【０００５】
ところで、近年、ＩＰ電話や携帯電話の普及により、アナログ回線、ＩＳＤＮ等の一般電話回線に加入せずに、インターネット等のネットワークにのみ加入する利用者が増えている。このような環境の場合に、インターネット等のネットワークのみで警備システムを構成すると、監視センタ側のＩＳＰ（Ｉｎｔｅｒｎｅｔ  Ｓｅｒｖｉｃｅ  Ｐｒｏｖｉｄｅｒ）においてネットワーク障害等が発生した場合、監視センタに異常検知情報の警報が送信できない場合がある。
【０００６】
一方、このようなＩＳＰ側のネットワーク障害は、事前に警備装置側で把握していることは困難であり、警報の送信後、エラー応答があって若しくは何の応答もない場合に初めてネットワーク障害が生じていると判断して、ネットワーク障害が復旧してから再度警報を送信せざるを得ない。このため、ＩＳＰ側でネットワーク障害が生じている場合には、監視領域に異常が生じた場合に直ちに異常検知情報を監視センタに送信することができず、異常状態に対して監視センタによる迅速に対応することが困難であるという問題があった。
【０００７】
本発明は、上記に鑑みてなされたものであって、インターネット等のネットワークのみで構成されている警備システムにおいて、ネットワーク障害が発生した場合でも、他の通信回線を経由して監視センタに異常検知情報の警報を送信し、監視領域の異常に対して迅速に対応できる警備システム、警備装置及び警備方法を得ることを目的とする。
【課題を解決するための手段】
【０００８】
上述した課題を解決し、目的を達成するために、請求項１にかかる発明は、監視領域における異常を検知するセンサを備えた第１の警備装置と、前記センサを備えた第２の警備装置と、前記第１の警備装置と第１のネットワークで接続され、前記第２の警備装置と第１のネットワーク及び第１のネットワーク以外の第２のネットワークで接続され、前記第１の警備装置と前記第２の警備装置からの警報を受信して所定の監視処理を実行する監視センタとを備える警備システムにおいて、前記第１の警備装置は、前記第２の警備装置に固有の警備装置識別情報と前記第２の警備装置のネットワーク上の識別情報であるネットワーク識別情報とを対応付けて登録した警備装置情報を記憶する警備装置情報記憶手段と、前記センサが異常を検知した場合に、異常を検知した前記センサを特定する情報を含む異常検知情報の警報を、前記監視センタに送信する異常通報手段と、前記監視センタから前記警報を受信した旨の確認信号を受信する通信処理手段と、を備え、前記異常通報手段は、更に、前記通信処理手段によって前記確認信号が受信されない場合に、前記警備装置情報から前記第２の警備装置の前記ネットワーク識別情報を選択し、選択された前記ネットワーク識別情報を送信先として前記第２の警備装置に前記警報を送信し、  前記第２の警備装置は、前記第１の警備装置から前記警報を受信する受信手段と、前記受信手段によって受信した前記警報を前記監視センタへ転送する転送手段と、を備えることを特徴とする。
【０００９】
また、請求項２にかかる発明は、請求項１に記載の警備システムにおいて、前記第１の警備装置又は前記第２の警備装置から前記警報を受信し、前記警報を送信した前記第１の警備装置又は前記第２の警備装置に前記確認信号を送信する通信処理手段と、を備えることを特徴とする。
【００１０】
また、請求項３にかかる発明は、請求項１に記載の警備システムにおいて、前記監視センタは、前記警備装置情報を、各警備装置ごとに記憶する警備装置情報記憶手段と、前記警備装置情報に登録されている前記警備装置識別情報又は前記ネットワーク識別情報を変更する警備装置情報管理手段とを備え、前記通信処理手段は、更に、前記警備装置情報管理手段によって変更された前記警備装置識別情報又は前記ネットワーク識別情報を含む前記警備装置情報を前記第１の警備装置に送信すること、を特徴とする。
【００１１】
また、請求項４にかかる発明は、監視領域における異常を検知するセンサを備え、異常を検知した前記センサを特定する情報を含む異常検知情報の警報を受信して所定の監視処理を実行する監視センタと第１のネットワークで接続された警備装置において、前記監視センタと第１のネットワーク以外の第２のネットワークで接続され、自装置以外の他の警備装置に固有の警備装置識別情報と前記他の警備装置のネットワーク上の識別情報であるネットワーク識別情報とを対応付けて登録した警備装置情報を記憶する警備装置情報記憶手段と、前記センサが異常を検知した場合に、前記監視センタに前記警報を送信する異常通報手段と、前記監視センタから前記警報を受信した旨の確認信号を受信する通信処理手段とを備え、前記異常通報手段は、更に、前記通信処理手段によって前記確認信号が受信されない場合に、前記警備装置情報から前記他の警備装置の前記ネットワーク識別情報を選択し、選択された前記ネットワーク識別情報を送信先として前記他の警備装置に警報を送信すること、を特徴とする。
【００１２】
また、請求項５にかかる発明は、請求項４に記載の警備装置において、前記通信処理手段は、更に、前記警報を受信した前記他の警備装置から前記確認信号を受信すること、を特徴とする。
【００１３】
また、請求項６にかかる発明は、請求項４又は５に記載の警備装置において、前記警備装置情報は、複数の前記他の警備装置の前記ネットワーク識別情報を登録し、前記異常通報手段は、更に、前記監視センタに前記警報を送信した場合、所定時間内に前記監視センタからの前記確認信号を受信しなかった場合に、前記警備装置情報に登録された複数の前記他の警備装置の前記ネットワーク識別情報から前記他の警備装置の前記ネットワーク識別情報を選択し、選択された前記ネットワーク識別情報を送信先として前記他の警備装置に前記警報を送信すること、を特徴とする。
【００１４】
また、請求項７にかかる発明は、監視領域における異常を検知するセンサを備え、異常を検知した前記センサを特定する情報を含む前記異常検知情報の警報を受信して所定の監視処理を実行する監視センタと第１のネットワーク及び第１のネットワーク以外の第２のネットワークで接続された警備装置において、自装置以外の他の警備装置から前記警報を受信する受信手段と、前記受信手段によって受信した前記警報を前記監視センタへ転送する転送手段と、を備えることを特徴とする。
【００１５】
また、請求項８にかかる発明は、請求項７に記載の警備装置について、前記受信手段は、更に、前記監視センタから前記転送手段によって転送した前記警報を受信した旨の確認信号を受信し、前記転送手段は、更に、前記受信手段によって受信した前記確認信号を前記第１の警備装置に転送すること、を特徴とする。
【００１６】
また、請求項９にかかる発明は、監視領域における異常を検知するセンサを備えた第１の警備装置と、前記センサを備えた第２の警備装置と、前記第１の警備装置と第１のネットワークで接続され、前記第２の警備装置と第１のネットワーク及び第１のネットワーク以外の第２のネットワークで接続され、前記第１の警備装置と前記第２の警備装置からの警報を受信して所定の監視処理を実行する監視センタとの間で実行される警備方法において、前記第１の警備装置において、前記センサが異常を検知した場合に、その旨の警報を、前記監視センタに送信する異常通報ステップと、前記第１の警備装置において、前記監視センタから前記警報を受信した旨の確認信号を受信する通信処理ステップと、を含み、前記異常通報ステップは、更に、前記通信処理ステップによって前記確認信号が受信されない場合に、前記第２の警備装置に固有の警備装置識別情報と前記第２の警備装置のネットワーク上の識別情報であるネットワーク識別情報とを対応付けて登録した警備装置情報から前記第２の警備装置の前記ネットワーク識別情報を選択し、選択された前記ネットワーク識別情報を送信先として前記第２の警備装置に前記警報を送信し、前記第２の警備装置において、前記第１の警備装置から前記警報を受信する受信ステップと、前記第２の警備装置において、前記受信ステップによって受信した前記警報を前記監視センタへ転送する転送ステップと、を含むことを特徴とする。
【発明の効果】
【００１７】
請求項１にかかる発明によれば、第１の警備装置において、異常通報手段によって、センサが異常を検知した場合に、監視センタに異常を検知したセンサを特定する情報を含む異常検知情報の警報を送信し、通信処理手段によって、監視センタから警報を受信した旨の確認信号を受信し、異常通報手段によって、更に、通信処理手段によって確認信号が受信されない場合に、第２の警備装置のネットワーク識別情報を選択し、選択されたネットワーク識別情報を送信先として第２の警備装置に警報を送信し、第２の警備装置において、受信手段によって、第１の警備装置から警報を受信し、転送手段によって、受信手段によって受信した警報を前記監視センタへ転送する。このため、第１のネットワークに障害が発生したことにより、第１のネットワークのみで監視センタに接続されている第１の警備装置からでは監視センタへ警報を送信できなかった場合でも、第１のネットワーク以外の第２のネットワークによっても監視センタと接続されている第２の警備装置を経由して監視センタへ警報を送信することができる。従って、第１のネットワークに障害が発生しても、監視領域の異常に対して迅速に対応できるという効果を奏する。
【００１８】
また、請求項２にかかる発明によれば、監視センタにおいて、通信処理手段によって、第1の警備装置又は第２の警備装置から警報を受信し、警報を送信した第1の警備装置又は第２の警備装置に確認信号を送信する。このため、第１のネットワークに障害が発生したことにより、第１のネットワークのみで監視センタに接続されている第１の警備装置からでは監視センタで警報を受信できなかった場合でも、第１のネットワーク以外の第２のネットワークによっても監視センタと接続されている第２の警備装置を経由して監視センタで警報を受信することができる。また、同様に第２の警備装置を経由して、第１の警備装置へ確認信号を送信することができる。従って、第１のネットワークに障害が発生しても、監視領域の異常に対して迅速に対応できるとともに、第１の警備装置に警報を受信した旨を知らせることができるという効果を奏する。
【００１９】
また、請求項３にかかる発明によれば、監視センタにおいて、警備装置情報管理手段によって、警備装置情報に登録されている警備装置識別情報又はネットワーク識別情報を変更し、通信処理手段によって、警備装置情報管理手段によって変更された警備装置識別情報又はネットワーク識別情報を第１の警備装置に送信する。このため、第１の警備装置からでは通常把握できない第２の警備装置と監視センタの接続回線に変更が生じた場合でも、第１の警備装置が監視センタから変更後のネットワーク識別情報を取得できる。よって、第１のネットワークに障害が発生した場合、常に第１のネットワーク以外のネットワークによって監視センタに接続されている第２の警備装置に警報を送信することができ、監視領域の異常に対して確実かつ迅速に対応できるという効果を奏する。
【００２０】
また、請求項４にかかる発明によれば、異常通報手段によって、センサが異常を検知した場合に、監視センタに警報を送信し、通信処理手段によって、監視センタから警報を受信した旨の確認信号を受信し、異常通報手段によって、通信処理手段によって確認信号が受信されない場合に、他の警備装置のネットワーク識別情報を選択し、選択されたネットワーク識別情報を送信先として他の警備装置に警報を送信する。このため、第１のネットワークに障害が発生したことにより、第１のネットワークのみで監視センタに接続されている警備装置からでは監視センタへ警報を送信できなかった場合でも、第１のネットワーク以外の第２のネットワークによっても監視センタと接続されている他の警備装置を経由して監視センタへ警報を送信することができる。従って、第１のネットワークに障害が発生しても、監視領域の異常に対して迅速に対応できるという効果を奏する。
【００２１】
また、請求項５にかかる発明によれば、通信処理手段によって、警備装置情報に登録された自装置以外の他の警備装置から確認信号を受信する。このため、第１のネットワークに障害が発生したことにより、第１のネットワークのみで監視センタに接続されている警備装置からでは監視センタで警報を受信できなかった場合でも、第１のネットワーク以外の第２のネットワークによっても監視センタと接続されている他の警備装置を経由して監視センタへ警報を送信することができる。また、同様に他の警備装置を経由して、警備装置で確認信号を受信することができる。従って、第１のネットワークに障害が発生しても、監視領域の異常に対して迅速に対応できるとともに、警備装置に警報を受信した旨を知らせることができるという効果を奏する。
【００２２】
また、請求項６にかかる発明によれば、警備装置情報記憶手段によって、警備装置情報にネットワーク識別情報としてネットワーク識別情報を２つ以上記憶し、異常通報手段によって、監視センタに警報を送信した場合、所定時間内に監視センタからの確認信号を受信しなかった場合に、他の警備装置のネットワーク識別情報を選択し、選択されたネットワーク識別情報を送信先として他の警備装置に警報を送信する。このため、第１のネットワークに障害が発生したことにより、第１のネットワークのみで監視センタに接続されている警備装置からでは監視センタへ警報を送信できなかった場合でも、第１のネットワーク以外の第２のネットワークによっても監視センタと接続されている他の警備装置を経由して監視センタへ警報を送信することができるとともに、同様に他の警備装置を経由して、警備装置で確認信号を受信することができる。また、２以上のネットワーク識別情報を記憶することにより、さらに他の警備装置にネットワーク障害が発生している場合でも別の他の警備装置へ確認信号を送信でき、第１のネットワークに障害が発生しても、監視領域の異常に対して迅速に対応できるという効果を奏する。
【００２３】
また、請求項７にかかる発明によれば、受信手段によって、自装置以外の他の警備装置から警報を受信し、転送手段によって、前記受信手段により受信した前記警報を前記監視センタへ転送する。このため、第１のネットワークに障害が発生したことにより、第１のネットワークのみで監視センタに接続されている他の警備装置からでは監視センタへ警報を送信できなかった場合でも、第１のネットワーク以外の第２のネットワークによっても監視センタと接続されている警備装置を経由して監視センタへ警報を送信することができる。従って、第１のネットワークに障害が発生しても、監視領域の異常に対して迅速に対応できるという効果を奏する。
【００２４】
また、請求項８にかかる発明によれば、受信手段によって、監視センタから転送手段によって転送した警報を受信した旨の確認信号を受信し、転送手段によって、受信手段によって受信した確認信号を第１の警備装置に転送する。このため、第１のネットワークに障害が発生したことにより、第１のネットワークのみで監視センタに接続されている第１の警備装置からでは監視センタへ警報を送信できなかった場合でも、第１のネットワーク以外の第２のネットワークによっても監視センタと接続されている第２の警備装置を経由して監視センタへ警報を送信することができる。また、同様に第２の警備装置を経由して、第１の警備装置で確認信号を受信することができる。従って、第１のネットワークに障害が発生しても、監視領域の異常に対して迅速に対応できるとともに、第１の警備装置に警報を受信した旨を知らせることができるという効果を奏する。
【００２５】
また、請求項９にかかる発明によれば、第１の警備装置における異常通報ステップによって、センサが異常を検知した場合に、その旨の警報を、監視センタに送信し、第１の警備装置における通信処理ステップによって、監視センタから警報を受信した旨の確認信号を受信し、異常通報ステップによって、更に、通信処理ステップによって確認信号が受信されない場合に、前記第２の警備装置に固有の警備装置識別情報と第２の警備装置のネットワーク上の識別情報であるネットワーク識別情報とを対応付けて登録した警備装置情報から第２の警備装置のネットワーク識別情報を選択し、選択された前記ネットワーク識別情報を送信先として第２の警備装置に警報を送信し、第２の警備装置における受信ステップによって、第１の警備装置から警報を受信し、第２の警備装置における転送ステップによって、受信ステップによって受信した警報を前記監視センタへ転送する。このため、第１のネットワークに障害が発生したことにより、第１のネットワークのみで監視センタに接続されている第１の警備装置からでは監視センタへ警報を送信できなかった場合でも、第１のネットワーク以外の第２のネットワークによっても監視センタと接続されている第２の警備装置を経由して監視センタへ警報を送信することができる。従って、第１のネットワークに障害が発生しても、監視領域の異常に対して迅速に対応できるという効果を奏する。
【発明を実施するための最良の形態】
【００２６】
以下に添付図面を参照して、この発明にかかる警備システム、警備装置及び警備方法の最良な実施の形態を詳細に説明する。
【００２７】
（第１の実施の形態）
まず、第１の実施の形態について、添付図面を参照して説明する。第１の実施の形態の警備システムは、センサが検知した異常検知情報の警報を監視センタに送信する警備システムにおいて、監視センタ側のネットワークに障害が発生した場合に、他の通信回線を介して監視センタに異常検知情報の警報を通報するものである。
【００２８】
図１は、本発明の第１の実施の形態にかかる警備システムの構成を示すブロック図である。本実施の形態にかかる警備システム１００は、複数の第1の警備装置１１０と、複数の第２の警備装置１２０と、監視センタ１３０と、インターネット１４０と、公衆回線１５０から構成されており、複数の第１の警備装置１１０と監視センタ１３０は、インターネット１４０を介して接続されており、複数の第２の警備装置１２０と監視センタ１３０は、インターネット１４０及び公衆回線１５０を介して接続されている。ここで、インターネット１４０は本発明における第１のネットワークに相当し、公衆回線１５０は本発明における第２のネットワークに相当する。
【００２９】
第１の警備装置１１０は、監視領域の異常を検知して、異常検知情報の警報を監視センタ１３０又は第２の警備装置１２０に送信するものである。
【００３０】
第２の警備装置１２０は、監視領域の異常を検知して、異常検知情報の警報を監視センタ１３０に送信するものである。また、第１の警備装置１１０からの異常検知情報の警報を監視センタ１３０に転送するものである。尚、実際には、第２の警備装置１２０は、複数存在し、各々がインターネット１４０と公衆回線１５０とに接続されている。
【００３１】
監視センタ１３０は、第１の警備装置１１０又は第２の警備装置１２０のセンサ２１１ａ〜２１１ｎが異常を検知した場合に、異常検知情報の警報を受信し、待機中の警備員に監視領域へ向かう旨の指令を送信したり、第１の警備装置１１０又は第２の警備装置１２０から監視領域の撮像画像を受信して第１の警備装置１１０および第２の警備装置１２０を介して監視領域を集中監視する等の予め定められた監視処理を行うコンピュータである。
【００３２】
公衆回線１５０は、アナログ電話回線、ＩＳＤＮ、ＡＤＳＬ、ＰＨＳ等のインターネット１４０以外の通信回線であって、第２の警備装置１２０と監視センタ１３０とが接続されている。
【００３３】
なお、本実施の形態では、通信プロトコルとしてＴＣＰ／ＩＰを使用し、ネットワークのアドレス形式としてＩＰｖ４形式を使用した例を示す。ただし、本実施の形態にかかる監視システムのネットワークに関するプロトコルとしては、これらに限定されるものではなく、いずれのプロトコルを採用してもよい。
【００３４】
次に、第１の監視装置１１０の詳細について説明する。図２は、第１の警備装置１１０の構成を示すブロック図である。第１の警備装置１１０は、さらに複数のセンサ２１１ａ〜２１１ｎと、警備モード操作部２１２と、マイク２１３と、スピーカ２１４と、入出力制御部２１５と、通信制御部２１６と、ＩＰアドレスデータベース２１７と、制御部２２０とを主に備えている。
【００３５】
センサ２１１ａ〜２１１ｎは、人感センサであり、たとえば赤外線の受光量の変化をもとに人の存在を検出する赤外線センサ、赤外線などの受信が遮断されることで人の存在を検出する遮断センサ、電磁波の乱れで人の存在を検知する気配センサ、およびマグネットにより扉の開閉を検出するマグネットセンサなどの監視領域の異常を検出する各種センサである。
【００３６】
警備モード操作部２１２は、第１の警備装置１１０に対して種々の警備モードを設定するものである。ここで、警備モードとは、監視領域において、異常を検知したときの警報通報状態を示すモードである。
【００３７】
マイク２１３は、警備装置付近にいる者等が発した音声を取得し、スピーカ２１４は、送信された音声を出力するものである。
【００３８】
入出力制御部２１５は、警備モード操作部２１２の入出力制御、センサ２１１ａ〜２１１ｎ、マイク２１３の入力制御、スピーカ２１４の出力制御により種々のデータの入出力を制御する処理部である。
【００３９】
通信制御部２１６は、第１の警備装置１１０とインターネット１４０との間における通信を制御するものであり、具体的にはネットワークボードなどが該当する。
【００４０】
ＩＰアドレスデータベース２１７は、第２の警備装置１２０に固有の警備装置識別情報と第２の警備装置１２０のネットワーク上の識別情報であるＩＰアドレスとを対応付けて登録するものである。図３は、ＩＰアドレスデータベース２１７の一例を示すデータ構造図である。図３に示すように、各複数の第２の警備装置のそれぞれの警備装置識別情報に対応するＩＰアドレスが登録されている。尚、本実施の形態におけるＩＰアドレスデータベース２１７では、複数の第１の警備装置１１０をＡＳ０、ＡＳ１、ＡＳ２…で示している。ここで、ＩＰアドレスデータベース２１７は、本発明における警備装置情報に相当し、ＩＰアドレスは本発明におけるネットワーク識別情報に相当する。
【００４１】
制御部２２０は、さらに警備状態切替部２２１と、警備状態記憶部２２２と、異常通報部２２３と、音声データ制御部２２４と、通信処理部２２５とを主に備えている。
【００４２】
警備状態切替部２２１は、警備モード操作部２１２で設定された警備モードに従って、警備モードを切り替えるものである。
【００４３】
警備状態記憶部２２２は、監視領域の現在の警備モードを記憶するメモリなどの記憶媒体である。
【００４４】
異常通報部２２３は、センサ２１１ａ〜２１１ｎが異常を検知すると、監視センタ１３０に対して監視領域において異常が検知されたという情報の警報を送信するものである。また、通信処理部２２５によって異常検知情報の警報を受信した旨の確認信号が所定時間内に受信されない場合に、ＩＰアドレスデータベース２１７に登録されている第２の警備装置１２０のＩＰアドレスを選択し、選択されたＩＰアドレスに対応する第２の警備装置１２０を送信先として警報を送信するものである。
【００４５】
音声データ制御部２２４は、監視センタ１３０と第１の警備装置１１０との間における音声データの制御を行うものである。具体的には、音声データの音声認識や文字列データへの変換を行う。
【００４６】
通信処理部２２５は、監視センタ１３０から異常検知情報の警報を受信した旨の確認信号を受信するものである。また、ＩＰアドレスデータベース２１７に登録された第２の警備装置１２０から転送された確認信号を受信するものである。
【００４７】
次に、第２の監視装置１２０の詳細について説明する。図４は、第２の警備装置１２０の構成を示すブロック図である。第２の警備装置１２０は、複数のセンサ２１１ａ〜２１１ｎと、警備モード操作部２１２と、マイク２１３と、スピーカ２１４と、入出力制御部２１５と、通信制御部４１６と、制御部４２０とを主に備えている。
【００４８】
ここで、複数のセンサ２１１ａ〜２１１ｎと、警備モード操作部２１２と、マイク２１３と、スピーカ２１４と、入出力制御部２１５の構成及び機能は、第１の警備装置と同様であるので、説明を省略する。
【００４９】
通信制御部４１６は、第２の警備装置１２０とインターネット１４０及び公衆回線１５０との間における通信を制御するものであり、具体的にはネットワークボードなどが該当する。
【００５０】
制御部４２０は、さらに警備状態切替部２２１と、警備状態記憶部２２２と、異常通報部２２３と、音声データ制御部２２４と、受信部４２５と、転送部４２６とを主に備えている。
【００５１】
ここで、警備状態切替部２２１と、警備状態記憶部２２２と、異常通報部２２３と、音声データ制御部２２４の構成及び機能は、第１の警備装置と同様であるので、説明を省略する。
【００５２】
受信部４２５は、第１の警備装置１１０からインターネット１４０を介して異常検知情報の警報を受信し、公衆回線１５０を介して転送部４２６によって転送した異常検知情報の警報を受信した旨の確認信号を監視センタ１３０から受信するものである。また、受信部４２５は、第２の警備装置１２０における異常通報部２２３より送信した異常検知情報の警報を受信した旨の確認信号を監視センタ１３０から受信するものである。
【００５３】
転送部４２６は、第１の警備装置１１０からインターネット１４０を介して受信部４２５によって受信した異常検知情報の警報を公衆回線１５０を用いて監視センタ１３０へ転送する。また、転送部４２６は、公衆回線１５０を介して受信部４２５によって受信した監視センタ１３０からの上記確認信号をインターネット１４０を用いて第１の警備装置１１０に転送するものである。
【００５４】
次に、監視センタ１３０の詳細について説明する。図５は、監視センタ１３０の構成を示すブロック図である。監視センタ１３０は、監視部５０１と、アドレス管理部５０２と、通信制御部５０３と、通信処理部５０４と、ＩＰアドレスデータベース５０５とを主に備えている。
【００５５】
監視部５０１は、第１の警備装置１１０又は第２の警備装置から監視領域の撮像画像を受信して第１の警備装置１１０および第２の警備装置を介して監視領域を集中監視する等の予め定められた監視処理を行うものである。
【００５６】
アドレス管理部５０２は、ＩＰアドレスデータベース５０５に登録されている警備装置識別情報及びＩＰアドレスをそれぞれの第２の警備装置１２０の状況に応じて変更するものである。ここで、アドレス管理部５０２は、本発明における警備装置情報管理手段に相当する。
【００５７】
通信制御部５０３は、監視センタ１３０とインターネット１４０及び公衆回線１５０との間における通信を制御するものであり、具体的にはネットワークボードなどが該当する。
【００５８】
通信処理部５０４は、第１の警備装置１１０又は第２の警備装置１２０から異常検知情報の警報を受信し、警報を送信した第１の警備装置１１０又は第２の警備装置１２０に警報を受信した旨の確認信号を送信するものである。また、アドレス管理部５０２によって変更された第２の警備装置の警備装置識別情報又はネットワーク識別情報を第１の警備装置１１０に送信するものである。
【００５９】
ＩＰアドレスデータベース５０５は、第２の警備装置１２０に固有の警備装置識別情報と第２の警備装置１２０のＩＰアドレスとを対応付けて登録した警備装置情報を、各第１の警備装置１１０ごとに記憶するものである。図６は、ＩＰアドレスデータベース５０５の一例を示すデータ構造図である。図６に示すように、各第１の警備装置１１０ごとに、複数の第２の警備装置１２０の警備装置識別情報と各警備装置識別情報に対応するＩＰアドレスを登録されている。尚、本実施の形態におけるＩＰアドレスデータベース５０５では、第１の警備装置１１０（ＡＳ０）のＩＰアドレスデータベース２１７に記憶されている第２の警備装置をＡＳ０−００１、ＡＳ０−００２…、他の第１の警備装置（ＡＳ１）のＩＰアドレスデータベース２１７に記憶されている第２の警備装置をＡＳ１−００１、ＡＳ１−００２…のように示している。ここで、ＩＰアドレスデータベース５０５は、本発明における警備装置情報に相当し、ＩＰアドレスは本発明におけるネットワーク識別情報に相当する。
【００６０】
次に、以上のように構成された本実施の形態にかかる異常検知情報の警報送信処理について説明する。図７は、本実施の形態にかかる異常検知情報の警報送信処理の手順を示すシーケンス図である。
【００６１】
まず、第１の警備装置１１０のセンサ２１１が異常を検知した場合、第１の警備装置１１０は、インターネット１４０を用いて監視センタ１３０に異常検知情報の警報を送信する（ステップＳ７０１）。
【００６２】
第１の警備装置１１０は、所定時間内に監視センタ１３０から警報を受信した旨の確認信号を受信しなかった場合は、改めて第２の警備装置１２０にインターネット１４０を用いて警報を送信する（ステップＳ７０２）。ここで、監視センタ１３０から確認信号を受信しない場合には、例えば、ＩＳＰ側のインターネット障害などのネットワーク障害により、ステップＳ７０１で送信した警報が監視センタ１３０で受信されなかった場合等が考えられる。次に、第１の警備装置１１０からインターネット１４０を介して警報を受信した第２の警備装置１２０は、第１の警備装置１１０から受信した警報を、公衆回線１５０を用いて監視センタ１３０に転送する（ステップＳ７０３）。
【００６３】
ここで、監視センタ１３０では、第１の警備装置１１０、第２の警備装置１２０のいずれからでも警報を受信すると、警報を受信した旨の確認信号を、警報の送信元の第１の警備装置１１０、第２の警備装置１２０のＩＰアドレスを指定して送信するようになっている。このため、第２の警備装置１２０から警報を受信した監視センタ１３０は、警報を受信した旨を示す確認信号を第２の警備装置１２０に送信する（ステップＳ７０４）。そして、第２の警備装置１２０は、監視装置１３０から受信した確認信号を第１の警備装置１１０に転送する（ステップＳ７０５）。なお、監視センタ１３０は公衆回線１５０を介して第２の監視装置１３０から警報を受信した場合は、当該公衆回線１５０を用いて第２の監視装置１３０に確認信号を送信する。
【００６４】
次に、このような警報送信の全体処理における第１の警備装置１１０における警報送信処理について説明する。図８は、本実施の形態にかかる第１の警備装置１１０の異常検知情報の警報送信処理の手順を示すフローチャートである。
【００６５】
まず、センサ２１１が異常を検知すると、異常通報部２２３は、インターネット１４０を用いて監視センタ１３０へ異常検知情報の警報を送信する（ステップＳ８０１）。通信処理部２２５は、所定時間内に監視センタ１３０から警報を受信した旨の確認信号を受信できたか否かを判断する（ステップＳ８０２）。通信処理部２２５は、所定時間内に監視センタ１３０より警報を受信した旨の確認信号を受信した場合（ステップＳ８０２：Ｙｅｓ）、警報送信処理は終了する。
【００６６】
一方、通信処理部２２５が、所定時間内に監視センタ１３０より確認信号を受信できなかった場合（ステップＳ８０２：Ｎｏ）、ＩＳＰ側のインターネット障害などのネットワーク障害でステップＳ８０１で送信した警報が監視センタ１３０で受信されなかったと判断する。このため、ネットワーク障害が発生しているインターネット１４０を経由せずに他の警備装置を経由して監視センタ１３０に警報を送信すべく、異常通報部２２３は、ＩＰアドレスデータベース２１７より第２の警備装置１２０のＩＰアドレスを当該経由する警備装置として選択する（ステップＳ８０３）。
【００６７】
さらに、異常通報部２２３は、選択したＩＰアドレスに対応する第２の警備装置１２０へ警報をインターネット１４０を用いて送信する（ステップＳ８０４）。なお、ＩＰアドレスデータベース２１７からの第２の警備装置１２０のＩＰアドレスを任意に選択することができ、ＩＰアドレスデータベース２１７における警備装置識別情報またはＩＰアドレスの昇順または降順あるいはランダムに第２の警備装置のＩＰアドレスを選択することができる。
【００６８】
次に通信処理部２２５は、所定時間内に選択した第２の警備装置１２０より転送された監視センタ１３０からの確認信号を受信できたか否かを判断する（ステップＳ８０５）。通信処理部２２５によって、所定時間内に確認信号が受信できた場合（ステップＳ８０５：Ｙｅｓ）は、異常検知情報の警報送信処理は終了する。
【００６９】
一方、通信処理部２２５によって、所定時間内に確認信号が受信できなかった場合は（ステップＳ８０５：Ｎｏ）、異常通報部２２３は、次の第２の警備装置１２０のＩＰアドレスを選択し（ステップＳ８０６）、新たに選択された第２の警備装置に対してステップＳ８０４、Ｓ８０５における警報の送信処理、確認信号の受信確認を行う。
【００７０】
次に、第２の警備装置１２０による警報送信処理について説明する。図９は、本実施の形態にかかる第２の警備装置１２０の異常検知情報の警報送信処理の手順を示すフローチャートである。
【００７１】
まず、受信部４２５は、第１の警備装置１１０よりインターネット１４０を介して異常検知情報の警報を受信する（ステップＳ９０１）。次に、転送部４２６は、第１の警備装置１１０より受信した警報を公衆回線１５０を用いて監視センタ１３０へ転送する（ステップＳ９０２）。
【００７２】
受信部４２５は、監視センタ１３０より、警報を受信した旨の確認信号を公衆回線１５０を介して受信し（ステップＳ９０３）、転送部４２６は、監視センタ１３０より受信した確認信号をインターネット１４０を用いて第１の警備装置１１０へ転送する（ステップＳ９０４）。これによって、インターネットに障害が発生して、第１の警備装置１１０から監視センタ１３０に直接警報を送信することができない場合でも、第２の警備装置１２０を経由して警報を監視センタ１３０に送信することが可能となる。
【００７３】
なお、監視センタ１３０では、通信処理部５０４によって、第１の警備装置１１０、第２の警備装置１２０のいずれからでも警報を受信すると、警報を受信した旨の確認信号を警報の送信元の第１の警備装置１１０または第２の警備装置１２０のＩＰアドレスを送信する処理を行っている。なお、監視センタ１３０は公衆回線１５０を介して第２の監視装置１３０から警報を受信した場合は当該公衆回線１５０を用いて第２の監視装置１３０に確認信号を送信する。
【００７４】
また、監視センタ１３０では、アドレス管理部５０２によって、ＩＰアドレスデータベース５０５の管理を行い、監視センタ１３０のシステム管理者等からの要求によって、警備装置識別情報およびＩＰアドレスのエントリの追加、変更および削除を行っている。
【００７５】
また、監視センタ１３０では、警備装置識別情報およびＩＰアドレスのエントリの追加、変更および削除などによりＩＰアドレスデータベースに変更があった場合には、通信処理部５０３によって、ＩＰアドレスデータベースの変更内容（追加、変更あるいは削除された警備装置識別情報およびＩＰアドレスのエントリ）をすべての第１の警備装置１１０に送信する。
【００７６】
監視センタ１３０と第２の警備装置１２０との間のネットワークの変更や、第２の警備装置１２０のシステム管理者と監視センタ１３０との警備契約の新規契約、契約変更、解約等による第２の警備装置１２０の識別情報やＩＰアドレスに変更がありＩＰアドレスデータベース５０５の内容を変更した場合、通常、第１の警備装置１１０では、このようなネットワークの変更に伴うＩＰアドレスデータベース５０５の変更内容を知ることができない。このため、監視センタ１３０から各第１の警備装置１１０に対してＩＰアドレスデータベース５０５の変更内容を送信することによって、第１の警備装置１１０側で第２警備装置１２０の警備装置識別情報やＩＰアドレスの変更を把握することができ、第１の警備装置１１０内のＩＰアドレスデータベース２１７を、受信した変更内容に基づいて更新すればよい。これによって、警報を経由して送信するための第２の警備装置１２０の情報を常に最新に維持しておくことができ、インターネットに障害が発生した場合、常に第２の警備装置１２０に警報を送信することができ、監視領域の異常に対して確実かつ迅速に対応することが可能となる。
【００７７】
このように、本実施の形態では、インターネット１４０のみに接続された第１の警備装置１１０は、センサ２１１が異常を検知して、監視センタ１３０に異常検知情報の警報を送信し、所定時間内に監視センタ１３０から警報の受信をした旨の確認信号を受信できなかった場合には、インターネット１４０及びインターネット１４０以外の公衆回線１５０とで接続されている第２の警備装置１２０へ再度警報の送信をする。そして、第２の警備装置１２０は受信した警報をインターネット１４０以外の公衆回線１５０を用いて監視センタ１３０に転送し、警報を受信した監視センタ１３０は、確認信号を第２の警備装置１２０に送信し、第２の警備装置１２０は、受信した確認信号を第１の警備装置１１０に転送する。このため、インターネット１４０に障害が発生したことにより、インターネット１４０のみで監視センタ１３０に接続されている第１の警備装置１１０からでは監視センタ１３０に警報を送信できなかった場合でも、インターネット１４０以外の公衆回線１５０でも接続されている第２の警備装置１２０により、監視センタ１３０に警報を送信することができ、第１の警備装置１１０で監視センタ１３０からの確認信号を受信することができる。従って、インターネット１４０に障害が発生しても、監視領域の異常に対して迅速に対応できるとともに、第１の警備装置１１０に警報を受信した旨を知らせることができる。
【図面の簡単な説明】
【００７８】
【図１】第１の実施の形態にかかる警備システムの構成を示すブロック図である。
【図２】第１の実施の形態にかかる第１の警備装置の構成を示すブロック図である。
【図３】第１の実施の形態にかかる第１の警備装置におけるＩＰアドレスデータベー    スのデータ構成の一例を示す説明図である。
【図４】第１の実施の形態にかかる第２の警備装置の構成を示すブロック図である。
【図５】第１の実施の形態にかかる監視センタの構成を示すブロック図である。
【図６】第１の実施の形態にかかる監視センタにおけるＩＰアドレスデータベースの    データ構成の一例を示す説明図である。
【図７】第１の実施の形態にかかる異常検知情報の警報送信処理の手順を示すシーケ    ンス図である。
【図８】第１の実施の形態にかかる第１の警備装置における異常検知情報の警報送信    処理の手順を示すフローチャートである。
【図９】第１の実施の形態にかかる第２の警備装置における異常検知情報の警報送信    処理の手順を示すフローチャートである。
【符号の説明】
【００７９】
１００  警備システム
１１０  第１の警備装置
１２０  第２の警備装置
１３０  監視センタ
１４０  インターネット
１５０  公衆回線
２１１ａ〜２１１ｎ  センサ
２１２  警備モード操作部
２１３  マイク
２１４  スピーカ
２１５  入出力制御部
２１６，４１６，５０３  通信制御部
２１７，５０５  ＩＰアドレスデータベース
２２０，４２０  制御部
２２１  警備状態切替部
２２２  警備状態記憶部
２２３  異常通報部
２２４  音声データ制御部
２２５，５０４  通信処理部
４２５  受信部
４２６  転送部
５０１  監視部
５０２  アドレス管理部
【図１】
2006285645.tif 000003
【図２】
2006285645.tif 000004
【図３】
2006285645.tif 000005
【図４】
2006285645.tif 000006
【図５】
2006285645.tif 000007
【図６】
2006285645.tif 000008
【図７】
2006285645.tif 000009
【図８】
2006285645.tif 000010
【図９】
2006285645.tif 000011